【手続補正書】
【提出日】平成30年3月2日(2018.3.2)
【手続補正１】
【補正対象書類名】明細書
【補正対象項目名】０００６
【補正方法】変更
【補正の内容】
【０００６】
上述した課題を解決するために本発明の電子機器は、
タッチ操作部を備える電子機器であって、
前記タッチ操作部上におけるタッチ操作の種類を判別する第１の判別手段と、
前記タッチ操作部上のタッチ操作により実行可能な所定機能を制限する第１の状態と、前記所定機能の制限を解除する第２の状態と、を切り替える状態切替手段と、
当該電子機器の状態が前記第1の状態、若しくは前記第２の状態であるかを判別する第２の判別手段と、
前記第２の判別手段により判別された状態が前記第１の状態である場合に、前記第１の判別手段により判別されたタッチ操作の種類が、前記所定機能の実行を指示するタッチ操作とは異なる当該電子機器の状態を切り替える操作の種類ならば、当該電子機器の状態を前記第１の状態から前記第２の状態に切り替える、一方、前記第２の判別手段により判別された状態が前記第２の状態である場合に、前記第１の判別手段により判別されたタッチ操作の種類が、前記所定機能の実行を指示するタッチ操作とは異なる当該電子機器の状態を切り替える操作の種類ならば、当該電子機器の状態を前記第２の状態から前記第１の状態に切り替える、ように前記状態切替手段を制御する制御手段と、
を備えることを特徴とする。
【手続補正２】
【補正対象書類名】特許請求の範囲
【補正対象項目名】全文
【補正方法】変更
【補正の内容】
【特許請求の範囲】
【請求項１】
タッチ操作部を備える電子機器であって、
前記タッチ操作部上におけるタッチ操作の種類を判別する第１の判別手段と、
前記タッチ操作部上のタッチ操作により実行可能な所定機能を制限する第１の状態と、前記所定機能の制限を解除する第２の状態と、を切り替える状態切替手段と、
当該電子機器の状態が前記第1の状態、若しくは前記第２の状態であるかを判別する第２の判別手段と、
前記第２の判別手段により判別された状態が前記第１の状態である場合に、前記第１の判別手段により判別されたタッチ操作の種類が、前記所定機能の実行を指示するタッチ操作とは異なる当該電子機器の状態を切り替える操作の種類ならば、当該電子機器の状態を前記第１の状態から前記第２の状態に切り替える、一方、前記第２の判別手段により判別された状態が前記第２の状態である場合に、前記第１の判別手段により判別されたタッチ操作の種類が、前記所定機能の実行を指示するタッチ操作とは異なる当該電子機器の状態を切り替える操作の種類ならば、当該電子機器の状態を前記第２の状態から前記第１の状態に切り替える、ように前記状態切替手段を制御する制御手段と、
を備えることを特徴とする電子機器。
【請求項２】
前記所定機能の実行を指示するタッチ操作とは異なるタッチ操作を第１のタッチ操作として検出する第１の検出手段と、
前記所定機能の実行を指示するタッチ操作を第２のタッチ操作として検出する第２の検出手段と、
を更に備え、
前記判別手段は、前記第１の状態で前記第１の検出手段による検出を行い、前記第２の状態で前記第１の検出手段による検出及び第２の検出手段による検出を行うことによってタッチ操作の種類を判別する、
ことを特徴とする請求項１に記載の電子機器。
【請求項３】
前記第２の状態において前記所定機能の実行を指示するタッチ操作により実行可能な所定機能を、複数の機能の中から選択する選択手段と、
前記状態切替手段により前記第２の状態に切り替えられている状態において、前記選択手段により選択されている機能を実行する実行手段と、
を更に備える、
ことを特徴とする請求項１又は２に記載の電子機器。
【請求項４】
前記第１のタッチ操作は、種類の異なる複数の第１のタッチ操作を含み、
前記判別手段は、前記第１のタッチ操作により前記第１の状態から前記第２の状態に切り替えられた時の当該第１のタッチ操作の種類を更に判別し、
前記第１のタッチ操作の種類毎に前記第２の状態で第２のタッチ操作に応じて実行される機能を設定する設定手段を、更に備え、
前記実行手段は、前記状態切替手段により前記第２の状態に切り替えられている状態において、前記第２の検出手段により第２のタッチ操作が検出された場合、前記判別手段により判別されている前記第１のタッチ操作の種類に応じて、前記設定手段により設定されている前記第２のタッチ操作に対応する機能を実行する、
ことを特徴とする請求項３に記載の電子機器。
【請求項５】
前記判別手段は、前記第１のタッチ操作の種類を前記タッチ操作部上におけるタッチ操作の位置より判別する、
ことを特徴とする請求項１乃至４のいずれか一項に記載の電子機器。
【請求項６】
前記制御手段は、前記状態切替手段により前記第２の状態に切り替えられている状態において、前記第１のタッチ操作が検出された場合、
前記判別手段により判別された当該第１の操作の種類と、前記判別手段により判別されている前記第１の状態から当該第２の状態への切り替え時の第１のタッチ操作の種類と、を比較し、同じ種類の第１のタッチ操作であれば、前記第１の状態に切り替えるように前記状態切替手段を制御する一方、
異なる種類の第１のタッチ操作であれば、当該第２の状態を維持したまま前記第２の操作が行われた際に実行される機能を、前記設定されている当該第１のタッチ操作の種類に対応する機能に切り替える制御を行う、
ことを特徴とする請求項４又は５に記載の電子機器。
【請求項７】
前記選択手段により選択可能な複数の機能のうち、その一部の機能は前記タッチ操作部のみで操作が可能であり、その他の機能は他の操作部でも操作可能である、
ことを特徴とする請求項３に記載の電子機器。
【請求項８】
表示部に前記第１の状態と前記第２の状態を識別可能とする識別子を表示する制御を行う表示制御手段を、更に備える、
ことを特徴とする請求項１乃至７のいずれか一項に記載の電子機器。
【請求項９】
前記タッチ操作部は、当該タッチ操作部上でのタッチ操作を検出するサンプリング周期が前記第１の状態と第２の状態とではそれぞれ異なるように制御する、
ことを特徴とする請求項１乃至８のいずれか一項に記載の電子機器。
【請求項１０】
当該電子機器は、携帯型電子機器であり、
前記タッチ操作部は、前記表示部を見るユーザが当該携帯型電子機器の筐体を握ることで人体に接触可能となるように当該筐体の側面に配設されている、
ことを特徴とする請求項１乃至９のいずれか一項に記載の電子機器。
【請求項１１】
前記携帯型電子機器の筐体は、前記表示部を備える本体ブロックと、前記本体ブロックの一端に回転可能に取り付けられたフレームブロックからなり、
前記タッチ操作部は、前記フレームブロックの側面に配設されている、
ことを特徴とする請求項９に記載の電子機器。
【請求項１２】
タッチ操作部を備える電子機器であって、
前記タッチ操作部上のタッチ操作を検出する検出手段と、
前記検出手段により検出される各種のタッチ操作のうち、通常のタッチ操作である第２のタッチ操作よりも複雑な第１のタッチ操作により指示操作を行う第１の操作方法と、前記第２のタッチ操作により指示操作を行う第２の操作方法と、前記第１のタッチ操作を行うことにより前記第２のタッチ操作の制限を解除した後に前記第２のタッチ操作により指示操作を行う第３の操作方法と、の複数の操作方法で指示操作が可能となるように前記検出手段を制御する制御手段と、
を備えることを特徴とする電子機器。
【請求項１３】
前記制御手段は、同一の機能に対する指示操作として前記第１の操作方法、前記第２の操作方法、前記第３の操作方法のうち、その複数の操作方法を選択可能となるように前記検出手段を制御する、
ことを特徴とする請求項１２に記載の電子機器。
【請求項１４】
前記タッチ操作部は、前記表示部と異なる位置に設けられている、
ことを特徴とする請求項１３に記載の電子機器。
【請求項１５】
前記制御手段は、前記第１の操作方法により前記第２の操作方法が実行可能な所定機能の制限を解除にした後、所定時間が経過した時に自動的に第２の操作方法が実行可能な所定機能を制限する、
ことを特徴とする請求項１２乃至１４のいずれか一項に記載の電子機器。
【請求項１６】
当該電子機器は、携帯型電子機器であり、
前記タッチ操作部は、ユーザが当該携帯型電子機器の筐体を片手で握った状態で、前記表示部を見ながら、当該筐体を握っている手で操作可能な位置に配設されている、
ことを特徴とする請求項１２乃至１５のいずれか一項に記載の電子機器。
【請求項１７】
前記携帯型電子機器の筐体は、前記表示部を備える本体ブロックと、前記本体ブロックの一端に回転可能に取り付けられたフレームブロックからなり、
前記タッチ操作部は、前記フレームブロックの側面に配設されている、
ことを特徴とする請求項１６に記載の電子機器。
【請求項１８】
前記第２のタッチ操作の制限が解除されている状態でのタッチ操作により実行可能な所定機能を、複数の機能の中から選択する選択手段を更に備え、
前記選択手段により選択可能な複数の機能のうち、その一部の機能は前記タッチ操作部のみで操作が可能であり、その他の機能は他の操作部でも操作可能である、
ことを特徴とする請求項１２乃至１７のいずれか一項に記載の電子機器。
【請求項１９】
表示部上に積層されて配置された第１のタッチ操作部と、当該第１のタッチ操作部とは異なる位置に第２のタッチ操作部を備える電子機器であって、
前記第１のタッチ操作部上のタッチ操作及び前記第２のタッチ操作部上のタッチ操作を検出する検出手段と、
前記検出手段により検出される各種のタッチ操作のうち、通常のタッチ操作である第２のタッチ操作よりも複雑な第１のタッチ操作により前記第２のタッチ操作部上で指示操作を行う第１の操作方法と、前記第２のタッチ操作により前記第１のタッチ操作部上及び前記第２のタッチ操作部上で指示操作を行う第２の操作方法と、前記第１のタッチ操作を前記第２のタッチ操作部上で行うことにより前記第２のタッチ操作部上での前記第２のタッチ操作の制限を解除した後に、前記第２のタッチ操作部上で前記第２のタッチ操作により指示操作を行う第３の操作方法と、の複数の操作方法で指示操作が可能となるように前記検出手段を制御する制御手段と、
を備えることを特徴とする電子機器。
【請求項２０】
タッチ操作部を備える電子機器におけるタッチ操作制御方法であって、
前記タッチ操作部上におけるタッチ操作の種類を判別する第１の判別処理と、
前記タッチ操作部上のタッチ操作により実行可能な所定機能を制限する第１の状態と、前記所定機能の制限を解除する第２の状態と、を切り替える処理と、
当該電子機器の状態が前記第1の状態、若しくは前記第２の状態であるかを判別する第２の判別処理と、
前記第２の判別処理により判別された状態が前記第１の状態である場合に、前記第１の判別処理により判別されたタッチ操作の種類が、前記所定機能の実行を指示するタッチ操作とは異なる当該電子機器の状態を切り替える操作の種類ならば、当該電子機器の状態を前記第１の状態から前記第２の状態に切り替える、一方、前記第２の判別処理により判別された状態が前記第２の状態である場合に、前記第１の判別処理により判別されたタッチ操作の種類が、前記所定機能の実行を指示するタッチ操作とは異なる当該電子機器の状態を切り替える操作の種類ならば、当該電子機器の状態を前記第２の状態から前記第１の状態に切り替える、ように制御する処理と、
を含むことを特徴とするタッチ操作制御方法。
【請求項２１】
タッチ操作部を備える電子機器のコンピュータに対して、
前記タッチ操作部上におけるタッチ操作の種類を判別する第１の判別機能と、
前記タッチ操作部上のタッチ操作により実行可能な所定機能を制限する第１の状態と、前記所定機能の制限を解除する第２の状態と、を切り替える機能と、
当該電子機器の状態が前記第1の状態、若しくは前記第２の状態であるかを判別する第２の判別機能と、
前記第２の判別機能により判別された状態が前記第１の状態である場合に、前記第１の判別機能により判別されたタッチ操作の種類が、前記所定機能の実行を指示するタッチ操作とは異なる当該電子機器の状態を切り替える操作の種類ならば、当該電子機器の状態を前記第１の状態から前記第２の状態に切り替える、一方、前記第２の判別機能により判別された状態が前記第２の状態である場合に、前記第１の判別機能により判別されたタッチ操作の種類が、前記所定機能の実行を指示するタッチ操作とは異なる当該電子機器の状態を切り替える操作の種類ならば、当該電子機器の状態を前記第２の状態から前記第１の状態に切り替える、ように制御する機能と、
を実現させるためのプログラム。
【請求項２２】
表示部と異なる位置にタッチ操作部を備える電子機器におけるタッチ操作制御方法であって、
前記タッチ操作部上のタッチ操作を検出する処理と、
前記検出される各種のタッチ操作のうち、通常のタッチ操作である第２のタッチ操作よりも複雑な第１のタッチ操作により指示操作を行う第１の操作方法と、前記第２のタッチ操作により指示操作を行う第２の操作方法と、前記第１のタッチ操作を行うことにより前記第２のタッチ操作の制限を解除後に前記第２のタッチ操作により指示操作を行う第３の操作方法と、の複数の操作方法で指示操作が可能となるように制御する処理と、
を含むことを特徴とするタッチ操作制御方法。
【請求項２３】
表示部と異なる位置にタッチ操作部を備える電子機器のコンピュータに対して、
前記タッチ操作部上のタッチ操作を検出する機能と、
前記検出される各種のタッチ操作のうち、通常のタッチ操作である第２のタッチ操作よりも複雑な第１のタッチ操作により指示操作を行う第１の操作方法と、前記第２のタッチ操作により指示操作を行う第２の操作方法と、前記第１のタッチ操作を行うことにより前記第２のタッチ操作の制限を解除後に前記第２のタッチ操作により指示操作を行う第３の操作方法と、の複数の操作方法で指示操作が可能となるように制御する機能と、
を実現させるためのプログラム。